(57)【要約】  本発明は、相互に挿入されてボールヒンジ構造を形成するベース要素と支持要素とを備えた移動機構に関し、この支持要素はベース要素に対して少なくとも第１の仮想軸の周りを回転することができる。第１の仮想軸は、ボールヒンジ構造の仮想中心を実質的に通過する。支持要素には、該支持要素をベース要素に対して移動させる駆動手段が設けられており、この駆動手段は、第１の電気モータと、出力歯車を備えた第１の駆動列と、を含む。駆動手段は、支持要素がベース要素に対して動かされたときに、支持要素と共に移動するように、支持要素内に収容される。第１の駆動列の出力歯車は、支持要素内に配置された非直線の、曲線状の第１の駆動ロッドと係合し、この第１の駆動ロッドには、支持要素がベース要素に対して動かされるときに、第１の駆動ロッドが支持要素と共に移動しないように、ベース要素に接続されたアンカー部が設けられている。
2017530047.tif 000002
【特許請求の範囲】
【請求項１】
移動機構であって、
相互に挿入されてボールヒンジ構造を形成するベース要素と支持要素とを含み、
前記支持要素は、前記ボールヒンジ構造の仮想中心を実質的に通過する少なくとも第１の仮想軸の周りで前記ベース要素に対して回転可能であり、
前記支持要素には、前記支持要素を前記ベース要素に対して移動させる駆動手段が設けられ、
前記駆動手段は、第１の電気モータと、出力歯車を有する第１の駆動列と、を備え、
前記駆動手段は、前記支持要素が前記ベース要素に対して動かされるときに、前記支持要素と共に移動するように、前記支持要素内に収容され、
前記第１の駆動列の前記出力歯車は、前記支持要素に配置された非直線の、曲線状の第１の駆動ロッドに係合し、
前記第１の駆動ロッドには、前記支持要素が前記ベース要素に対して動かされるときに、前記第１の駆動ロッドが前記支持要素と共に移動しないように、前記ベース要素に接続された第１のアンカー部が設けられている、移動機構。
【請求項２】
前記支持要素は、前記ボールヒンジ構造の前記仮想中心を実質的に通過する第２の仮想軸の周りで前記ベース要素に対して回転可能であり、
前記支持要素内に収容された前記駆動手段は、第２の出力歯車を備えた第２の駆動列を備え、
前記第２の出力歯車は、前記支持要素内に配置された、非直線の、曲線状の第２の歯車前記第２の駆動ロッドに係合し、
前記第２の駆動ロッドには、前記支持要素が前記ベース要素に対して動かされるときに、前記第２の駆動ロッドが前記支持要素と共に移動しないように、前記ベース要素に接続された第２のアンカー部が設けられている、請求項１に記載の移動機構。
【請求項３】
第１のアンカー部は、前記ベース要素の凹部に第２の仮想軸に対してある程度回転可能に設けられ、
前記第２の仮想軸は、前記ボールヒンジ構造の前記仮想中心を実質的に通過し、そして、
前記第１および第２の仮想軸が実質的に位置する平面において、前記第２の仮想軸は、前記第１の仮想軸と約９０°の角度をなす、請求項１または２に記載の移動機構。
【請求項４】
前記第２のアンカー部は、前記ベース要素の第２の凹部に前記第１の仮想軸に対してある程度回転可能に設けられている、請求項２または３に記載の移動機構。
【請求項５】
前記第１の駆動ロッドは、仮想中心軸が前記第１の仮想軸と実質的に一致するリングセグメントの形態を有している、請求項１から４のいずれか一項に記載の移動機構。
【請求項６】
前記第２の駆動ロッドは、仮想中心軸が前記第２の仮想軸と実質的に一致するリングセグメントの形態を有している、請求項２〜５のいずれか一項に記載の移動機構。
【請求項７】
前記第１および／または第２の駆動ロッドは、第３の仮想軸に対して回転可能なリングセグメントの形態を有し、前記第３の仮想軸は、前記ボールヒンジ構造の前記仮想中心を実質的に通過し、前記第３の仮想軸および前記第１の仮想軸および／または第２の仮想軸が実質的に位置する平面において、前記第１の仮想軸とは約４５°の角度をなし、および／または、前記第２の仮想軸とは約４５°の角度をなす、請求項１〜４のいずれか一項に記載の移動機構。
【請求項８】
前記第１の凹部は、スロット孔の形態であり、前記第１のアンカー部は、好ましくは円筒形であり、前記第１のアンカー部の軸は、前記スロット孔内で回転可能であり、前記スロット孔の長さ方向に沿ってスライド可能であり、好ましくは、前記スロット孔の長さは、前記第１および第２の仮想軸が実質的に位置する平面内で実質的に前記仮想中心の周りの方向に配向されている、請求項３〜７のいずれか一項に記載の移動機構。
【請求項９】
前記第１の駆動ロッドは、前記支持要素内に配置されて、前記支持要素が前記第１の駆動ロッドの周りを回転すると、前記第１のアンカー部の比較的小さな変位が可能となり、好ましくは、前記第１および第２の仮想軸が実質的に位置する平面において、前記比較的小さな変位が前記仮想中心を中心とする比較的小さな旋回運動である、請求項３〜８のいずれか一項に記載の移動機構。
【請求項１０】
前記ベース要素には、前記ベース要素内に移動可能に配置された第１の凹部が設けられて、前記支持要素が前記第１の仮想軸の周りを回転すると、前記第１の凹部および／またはそこに位置する前記第１のアンカー部の比較的小さな変位が可能になり、好ましくは、前記比較的小さな変位が、前記第１および第２の仮想軸が実質的に位置する平面内に実質的に位置し、前記仮想中心を中心とする比較的小さな旋回運動に関係する、請求項９に記載の移動機構。
【請求項１１】
前記第２凹部およびそこに位置する前記第２のアンカー部は、前記第２のアンカー部が前記第１の仮想軸に対してある程度回転できるように、かつ、前記ベース要素に対する前記第２のアンカー部および／または第１の仮想軸の移動を防止するように、構成されている、請求項８〜１０のいずれか一項に記載の移動機構。
【請求項１２】
前記第１の駆動ロッドおよび／または前記第２の駆動ロッドは、各出力歯車の歯と噛み合う歯を備え、前記各出力歯車は、前記各駆動ロッドの溝内に半径方向に配置された軸部を備えているか、前記軸部上に設けられている、請求項１〜１１のいずれか一項に記載の移動機構。
【請求項１３】
前記支持要素が、好ましくは前記支持要素に対して実質的に不動に固定された、ミラー面、ディスプレイ、および／またはカメラを支持する、請求項１〜１２のいずれか一項に記載の移動機構。
【請求項１４】
請求項１〜１３のいずれか一項に記載の移動機構を備えた車両用外部ミラー装置。
【請求項１５】
請求項１〜１３のいずれか一項に記載の移動機構および／または請求項１４に記載の外部ミラー装置を備えた車両、特に自動車。
【発明の詳細な説明】
【技術分野】
【０００１】
本発明は、移動機構、特に車両のリヤビュー装置用の移動機構に関する。移動機構は、ミラー調整機構および／または車両用外部ミラー用の移動機構とすることができる。その代りにまたは追加的に、移動機構は、少なくとも部分的なリヤビューを車両の運転者に提供する電子的リヤビュー装置（好ましくは、カメラおよび／またはディスプレイ）であり得る。移動機構は、好ましくは実質的に車体の外部に配置された、ミラープレート、カメラおよび／またはディスプレイ等の、車両に取り付けられた少なくともリヤビュー装置を調整する調整機構であり得る。このような移動機構は、相互に挿入されてボールヒンジ構造を形成するベース要素と支持要素とを備え、支持要素は少なくとも第１の仮想軸の周りでベース要素に対して回転可能であり、該第１の仮想軸は、ボールヒンジ構造の仮想中心を実質的に貫通し、支持要素は、支持要素を前記ベース要素に対して移動させる駆動手段を備え、該駆動手段は、支持要素に収容され、支持要素がベース要素に対して動かされるときに支持要素と共に移動する。
【背景技術】
【０００２】
このような移動機構は、例えば、支持要素が、例えば、外部ミラー装置のケーシング内に固定的に設置されたベース要素に対して、１つまたは２つの（仮想）軸の周りを移動するように使用することができる。例えば、ミラープレートは、支持要素上に設けられるが、ベース要素が設けられるミラー装置ケーシングは、例えば車両に固定される。駆動手段が支持要素に設けられるので、移動機構のかなりコンパクトなビルドアップ（ｂｕｉｌｄｕｐ）が得られ、これは、そのような移動機構および外部ミラー装置の寸法の観点で課される絶え間なく増大する要件を考えると、非常に重要である。
【０００３】
上記のような移動機構は、国際公開第００／６９６８５号に、２軸周りの移動として知られ、前記公報に記載されたボールヒンジ構造では、中間シェルがベース要素と支持要素との間に存在する。この移動機構は、かなりコンパクトなビルドアップを得ているが、かなり複雑な設計を有し、製造および／または組み立てが比較的困難であり、比較的高価であり、比較的故障し易い。さらに、実際には、移動機構は、適切に振動がないものではなく、比較的遊びが大きいことが判明している。
【先行技術文献】
【特許文献】
【０００４】
【特許文献１】国際公開第００／６９６８５号
【発明の概要】
【０００５】
本発明の目的は、別の移動機構および／または別の外部ミラー装置の提供することにある。特に、本発明は、既知の移動機構および／または外部ミラー装置の１つまたは複数の欠点を低減または排除することができる移動機構および／または外部ミラー装置を提供する。いくつかの態様において、本発明は、よりコンパクトな移動機構を提供する。さらに、本発明は、一方では、比較的単純な設計を有し、使用の際に比較的振動がなく、および／または比較的遊びの小さい移動機構を提供することを代替的または追加的に意図しているが、他方では、移動機構のコンパクトなビルドアップが維持され、特定の実施形態ではそれをさらに改善することができる。
【０００６】
第１の態様では、本発明は、第１の電気モータと、出力歯車を有する第１の駆動列と、を備える駆動手段を設けた移動機構を提供する。出力歯車は、支持要素に配置された非直線第１の駆動ロッドに係合し、該第１の駆動ロッドには、支持要素がベース要素に対して動かされるときに、第１の駆動ロッドが支持要素と共に移動しないように、ベース要素に（例えば、ベース要素にはめ込まれる等して）接続された第１のアンカー部が設けられている。
【０００７】
非直線第１の駆動ロッドが、直線から外れた形状を有し、特に曲がったまたは湾曲した形状を有することは、当業者に明らかであろう。例えば、第１の駆動ロッドは、円弧の一部に沿って、例えば、ベース要素または支持要素によって形成される球状部分の実質的に凸面または凹面の上にまたはそれに沿って、延在し得る。追加的またはその代わりに、第１の駆動ロッドは、リングセグメントとして形成してもよい。
【０００８】
第１の駆動ロッドは、第１の駆動列の出力歯車の歯に係合する歯を備えていてもよい。第１の駆動ロッドは、曲がったまたは湾曲したラックとすることができる。
【０００９】
支持要素に設けられた第１の駆動列の出力歯車は、第１の駆動ロッドをベース要素にアンカー部を介して接続することにより、駆動ロッドを介してベース要素から動き出す支持要素を第１の軸の周りでベース要素に対して旋回させる。このようにして、本発明は、比較的簡単なビルドアップと比較的コンパクトな移動機構を提供することができる。さらに、この移動機構のビルドアップにより、中間シェルを省略することができる。その結果、移動機構の遊びが少なくなり、比較的振動のない使用が可能となる。
【００１０】
好ましい実施形態では、本発明の一態様によれば、支持要素は、第２の仮想軸の周りでベース要素に対して回転可能である。第２の仮想軸は、ボールヒンジ構造の仮想中心を実質的に通過する。支持要素内に収容された駆動手段は、第２の出力歯車を有する第２の駆動列を備え、第２の出力歯車は、支持要素内に配置された第２の非直線駆動ロッドと係合し、第２の駆動ロッドは、支持要素がベース要素に対して動かされるとき、第２の駆動ロッドが支持要素と共に移動しないように、例えば、ベース部にはめ込まれる等して、ベース部分に接続された第２のアンカー部を備えている。
【００１１】
このような移動機構によって、例えばミラー面、ディスプレイおよび／またはカメラなど、支持要素によって支持される任意の物体または要素が、少なくとも２つの移動度を有することができ、それにより、前記物体または要素の位置決めまたは微調整に関する車両の運転者の要求および／または希望に応じた比較的良い調整が可能となる。
【００１２】
非直線第２の駆動ロッドが、直線から外れた形状を有し、特に曲がったまたは湾曲した形状を有し得ることは、当業者に明らかであろう。例えば、第２の駆動ロッドは、円弧の一部に沿って、例えば、ベース要素または支持要素によって形成される球状部分の実質的に凸面または凹面の上に、またはそれに沿って延在し得る。追加的またはその代わりに、第２の駆動ロッドを、リングセグメントとして形成してもよい。
【００１３】
第２の駆動ロッドは、第２の駆動列の出力歯車の歯に係合する歯を備えていてもよい。第２の駆動列は、曲がったまたは湾曲したラックであり得る。
【００１４】
本発明の一態様に係るさらなる好ましい実施形態では、第１のアンカー部は、ベース要素の凹部に第２の仮想軸に対してある程度回転可能に設けられている。第２の仮想軸は、ボールヒンジ構造の上記仮想中心を実質的に通過し、第２の仮想軸は、両方の仮想軸が実質的に位置する平面において第１の仮想軸と約９０°の角度をなす。したがって、この平面はボールヒンジ構造の仮想中心を実質的に通過する。好ましくは、第２のアンカー部は、ベース要素の第２の凹部に第１の仮想軸に対してある程度回転可能に設けられている。
【００１５】
第１および／または第２の駆動ロッドは、リングセグメントの形状を有し得る。
【００１６】
リングセグメント形状の第１の駆動ロッドは、第１の仮想軸と実質的に一致する仮想中心軸を有し、および／またはリングセグメント形状の第２の駆動ロッドは、第２の仮想軸と実質的に一致する仮想中心軸を有する。
【００１７】
例えば、第１の駆動列の第１の電気モータと第２の駆動列の第２の電気モータとを比較的簡単に平行に配置することができるので、スペースの理由から、第１および／または第２の駆動ロッドは、第３の仮想軸に対して回転可能なリングセグメントの形状を有し得る。ここで、第３の仮想軸は、前記ボールヒンジ構造の仮想中心を実質的に通過し、第３の仮想軸および前記第１の仮想軸および／または前記第２の仮想軸が実質的に位置する平面内で、第１の仮想軸と約４５°の角度および／または第２の仮想軸と約４５°の角度をなす。
【００１８】
しかしながら、スペースの点では有利なこの実施形態は、第３の仮想軸が実質的に第１の仮想軸に対して４５°の角度で延在するため、問題を有している。支持要素がこの第１の仮想軸の周りを回転すると、第１のアンカー部は、意図せずに機構をロックし、機構に十分な遊びがない場合、この回転を防止し得る。この問題を解決すべく、さまざまなオプションを見出した。
【００１９】
したがって、第１に、第１の凹部は、例えば、スロット孔の形状を有することができ、第１のアンカー部は、スロット孔内で回転可能な好ましくは円筒形の軸（シャフト）の形態であり、スロット孔の長さ方向にスライド可能である。最も好ましくは、スロット孔の長さは、実質的に仮想中心の周りの方向に、実質的に両方の仮想軸が実質的に位置する平面内に配向することができる。
【００２０】
第２に、第１の駆動ロッドは、例えば、支持要素が第１の仮想軸の周りを回転する際に、第１のアンカー部の比較的小さな変位が可能となるように、支持要素内に配置してもよい。好ましくは、実質的に両方の仮想軸が実質的に位置する平面において、この比較的小さな変位は、仮想中心の周りの比較的小さな旋回運動であり得る。
【００２１】
第３に、ベース要素には、支持要素が第１の仮想軸の周りを回転する際に、第１の凹部および／またはそこに配置された第１のアンカー部の比較的小さな変位が可能となるように、例えば、ベース要素に移動可能に配置された第１の凹部を設けることができる。好ましくは、この比較的小さな変位は、両方の仮想軸が実質的に位置する平面内に実質的に位置することができ、この比較的小さな変位は、仮想中心の周りの比較的小さな旋回運動であり得る。
【００２２】
しかしながら、第１のアンカー部要素が意図せずに移動機構をロックする可能性があるという問題を解決できる上記３つの例では、移動機構に遊びが導入されている。
【００２３】
有利な実施形態では、第２のアンカー部が第１の仮想軸に対してある程度回転できるように、かつ、ベース要素に対する第１の仮想軸および／または第２のアンカー部の変位（移動）を防止するように、第２の凹部およびそこに配置された第２のアンカー部を構成することによって、不必要な遊びを見事に相殺することができる。驚くべきことに、第２の凹部は、第２のアンカー部の周りに比較的密接に、例えば円形の孔として形成することができるので、第２の凹部は、スロット孔または変位可能な孔として設ける必要はない。それどころか、このようにしないで、そのような方法で第１の凹部のみを設けることは実際には有益であり得る。この手段は、ベース要素および支持要素が、２つの仮想軸によって画定された平面を実質的に横切る軸の周りで互いに望ましくないように回転する可能性を見事に回避することができる。支持要素とそれによって支持されるミラー面、および／またはそれによって支持された他の要素（例えば、ディスプレイまたはカメラ）の回転が実質的に抑えられ、例えばミラー面またはディスプレイの望ましくない回転および／または振動を強く相殺することができる。
【００２４】
本発明は、移動機構だけでなく、かかる移動機構を備えた車両用の外部ミラーにも関する。また、本発明は、車両にも関する。
【００２５】
本発明のさらなる有利な実施形態は従属項に記載されている。
【００２６】
図面に示された例示的な実施形態に基づいて本発明をさらに説明する。
【図面の簡単な説明】
【００２７】
【図１】本発明に係る移動機構の第１の概略斜視図を示す。
【図２】図１の移動機構の第２の概略斜視図を示す。
【図３】外部の一部を切り取った図１および図２の移動機構の第３の概略斜視図を示す。
【図４】図３の切り取った移動機構の断面斜視図である。
【発明を実施するための形態】
【００２８】
図面は、本発明の好ましい実施形態の単なる概略図を示す。図面において、同様のまたは対応する部分（部品）は、同じまたは対応する参照番号で示されている。
【００２９】
図１〜４の実施形態に係る移動機構は、互いに挿入されてボールヒンジ構造を形成する、ベース要素２および支持要素３を含む。そのために、ベース要素２および支持要素３は、対応する（ｍａｔｉｎｇ）球状部分２ａ、３ａを備え、一方の球状部分３ａは、凸面球状部分であり、それにフィットする他の球状部分２ａは凹面球状部分であり得る。球状部分に関して、２つの球状部分２ａのうちの１つは、球の比較的小さい部分を覆い、例えば、実質的にリング状の球状部分によって形成されてもよく、他の球状部分３ａ内にまたはその周囲に移動自在に、好ましくは、密着して配置される。
【００３０】
ベース要素２および支持要素３が、互いに対して取り付けられていてもよい。
【００３１】
さらに、ここに示す実施例では、支持要素３がベース要素２に挿入されているが、別の実施形態では、逆に、ベース要素２を、例えば、支持要素３内に移動自在に配置してもよい。そのような場合、ベース要素２の球状部分は、例えば凸面球状部分として形成し、支持要素３は、それと協働する凹面球状部分を含むことができる。
【００３２】
図１〜４に示す実施例の支持要素３は、ボールヒンジ構造の仮想中心または中間点Ｍを実質的に通過する少なくとも第１の仮想軸Ａの周りをベース要素２に対して回転可能である。この仮想中心Ｍは、ベース要素２の球状部分２ａが一部である仮想球の中心によって、および／または支持要素３の一部である球状部分３ａが一部を形成する球の中心によって、形成することができる。最も好ましくは、２つの球状部分２ａ、３ａの中心は実質的に一致することができる。
【００３３】
支持要素３は、支持要素３をベース要素２に対して移動させる駆動手段１６、１８ａ、１８ｂ、１８ｃ、１８ｄ、１１を備えている。駆動手段は、第１の電気モータ１６と、出力歯車１１を備えた第１の駆動列１０と、を含む。駆動手段１６、１８ａ、１８ｂ、１８ｃ、１８ｄ、１１は、支持要素３と共に移動するように支持要素３内に収容されている。これは、支持要素３がベース要素２に対して動かされたときに、それら（駆動手段１６、１８ａ、１８ｂ、１８ｃ、１８ｄ、１１）が、支持要素３と共に移動することを意味する。駆動手段１６、１８ａ、１８ｂ、１８ｃ、１８ｄ、１１は、例えば支持要素３に吊り下げられるか、支持要素に配置された支持構造内に吊り下げられ、該支持構造は好ましくは支持要素内に固定されている。駆動手段１６、１８ａ、１８ｂ、１８ｃ、１８ｄ、１１のそれぞれの例は、例えば、支持要素３および／または支持構造内に固定されていてもよく、または例えば、そこに回転可能に吊り下げられていてもよく、さらに別の方法でそこに配置されていてもよい。
【００３４】
例えば、インボリュート（ｉｎｖｏｌｕｔｅ）または他の外歯を備えていてもよい出力歯車１１は、支持要素３内に配置された非直線第１の駆動ロッド１３と係合し、該第１の駆動ロッド１３は例えばインボリュートまたは他の内歯を備えることができる。図４に示すように、第１の駆動ロッド１３は、ベース要素２に（はめ込まれる等して）接続されたアンカー部１４を備えているので、第１の駆動ロッド１３は、支持要素３がベース要素２に対して動かされるときに、支持要素３と共に移動しない。
【００３５】
駆動ロッド１３は、例えばここに示す実施例のように、実質的に支持要素３の内側に配置されてもよい。アンカー部１４は、（好ましくはスロット状の）開口部１２を通ってベース要素２まで延在し得る。あるいは、駆動ロッド１３を別の場所に配置することもできる。例えば、駆動ロッド１３を、支持要素３の外側に設けられたスロットに配置してもよい。そのような場合、（好ましくはスロット状の）開口部が支持要素３に設けられて、出力歯車１１の駆動ロッド１３への係合を促す。
【００３６】
非直線駆動ロッド１３は、例えば、駆動ロッド１３の横方向の変位（移動）を防止することができる２つの表面４または２つのリブ４の間に配置することができる。
【００３７】
その代わりにまたは追加的に、駆動ロッド１３に、例えば滑り軸受等の軸受を取り付けてもよい。また、第１の出力歯車１１には、例えば、軸部１１ａが設けられているが、該軸部１１ａには、駆動ロッド１３の溝に半径方向に軸受が取り付けられている。
【００３８】
例えば、図４に正しく見られるように、駆動列１０は、多数の協働要素、好ましくは歯車１８ａ〜１８ｄ、１１を備えているが、それらは、好ましくは多数の減速段階（ｒｅｄｕｃｔｉｏｎ  ｓｔａｇｅ）を規定し得る。ここに示す実施例では、第１のモータ１６の出力または被動軸１６ａには、例えばスリップカップリングを用いて実質的に回転不能に取り付けられた第１の歯車１８ａが設けられ、該第１の歯車１８ａは、例えば、ウォーム（ｗｏｒｍ）１８ａとして実施される。この第１の歯車１８ａは、第２の歯車１８ｂを駆動することができ、該第２の歯車１８ｂは、それと実質的に回転不能に接続された第３の歯車１８ｃ（例えばウォーム１８ｃ等）を介して、第４の歯車１８ｄを駆動することができる。この第４の歯車１８ｄは、例えば第５の歯車と実質的に回転不能に接続されて、第１の駆動列１０の出力歯車１１を形成してもよい。
【００３９】
好ましくは、駆動列１０の回転軸および歯車１８ａ〜１８ｄ、１１は、実質的に、支持要素３内で軸方向にも横方向にも動くことができない。
【００４０】
例えば、Ｙ軸とＸ軸の両方の周りのミラーガラスの回転が可能となるように、例えば２つの軸の周りの支持要素３の調整を可能にすべく、支持要素３は、第２の仮想軸Ｂの周りでベース要素２に対して回転可能であることが最も好ましい。この第２の仮想軸Ｂは、好ましくは、実質的にボールヒンジ構造の仮想中心Ｍを通って延びる。支持要素３に収容された駆動手段は、第２の出力歯車２１を有する第２の駆動列２０を備えることができ、該第２の出力歯車２１は、支持要素３内に位置された非直線第２の駆動ロッドに係合する。
【００４１】
好ましくは、第２の駆動列２０は、例えば、支持要素３において第１の電気モータ１６と実質的に平行に配置された第２の電気モータ２６によって駆動される。第２の駆動列２０は、例えば、第１の駆動列１０に実質的に対応して構成してもよい。
【００４２】
第１の電気モータ１６および／または第２の電気モータ２６は、最も好ましくは、関連する電気モータのコイル制御のためのロータ位置の機械的またはセンサーによる位置フィードバックを備えた電気モータである。
【００４３】
好ましくは、第１および／または第２の電気モータは、例えば、ブラシ付きの直流モータ等のブラシ付きの電気モータとして実施してもよい。
【００４４】
例えば、移動機構１を比較的安価な設計にするには、第１および／または第２の電気モータがステッピングモータではないことが有利であり得る。
【００４５】
また、図３および図４に示すように、第２の非直線駆動ロッド２３は、第２の（好ましくはスロット状の）開口部２２が見えるように省略されている。スロット状であり得る第１および第２の開口部１２、２２は、細長いものとすることができ、また第１および第２の仮想軸Ａ、Ｂが配置され、かつ、各々の開口部１２、２２を通って延びるアンカー部１４、２４を通過する各々の仮想軸Ｂ、Ａに沿って延在する平面に垂直な平面内に実質的に配置された長さ方向に沿って延在することができる。
【００４６】
例えば、第１の駆動ロッド１３と同様に、第２の駆動ロッド２３は、例えばベース要素２にはめ込まれる等してベース要素２に接続された独自のアンカー部２４を備えることで、支持要素３がベース要素２に対して動かされるときに、第２の駆動ロッドが支持要素３と共に移動しないようにすることもできる。
【００４７】
第１のアンカー部１４は、ベース要素２の、好ましくはわずかに細長い、凹部１５において、第２の仮想軸Ｂに対してある程度回転可能に設けることができる。第２の仮想軸Ｂは、実質的にボールヒンジ構造の仮想中心Ｍを通って延び、第２の仮想軸Ｂは、仮想軸Ａ、Ｂの両方が実質的に位置する平面において第１の仮想軸Ａと約９０°の角度をなすことができる。
【００４８】
追加的またはその代わりに、第２のアンカー部２４は、ベース要素２の第２の、好ましくは円形の、凹部２５において、第１の仮想軸Ａに対してある程度回転可能に設けることができる。
【００４９】
第１および／または第２の駆動ロッド１３、２３は、第３の仮想軸Ｃに対して回転可能なリングセグメントの形態を有し得る。ここで、第３の仮想軸Ｃは、実質的にボールヒンジ構造の仮想中心Ｍを通って延び、かつ、第３の仮想軸Ｃと第１の仮想軸Ａおよび／または第２の仮想軸Ｂとが実質的に配置された平面において、第１の仮想軸Ａと約４５°の角度をなし、および／または第２の仮想軸Ｂと約４５°の角度をなす。
【００５０】
ここに示す実施例では、ボールヒンジ構造の仮想中心Ｍは、概して支持要素３の上面５にあり、第３の仮想軸Ｃは、概してこの上面５に存在し得る。しかし、別の実施形態では、上面は、ボールヒンジ構造の仮想中心Ｍの下または上に位置してもよく、第３の仮想軸Ｃは、例えば、上面５の上または下に存在してもよい。追加的またはその代わりに、第３の仮想軸Ｃは、上面５に対して斜めに延びることもあり得る。
【００５１】
支持要素３に関して、好ましくは、その上面５は、ミラー面または例えばカメラまたはディスプレイなどの他の要素または物体を支持するように構成してもよい。この目的のために、例えば、支持要素３に、例えば支持要素３の上にミラー面を画定するミラーガラスを固定するために、ネジ穴、ブッシュ、ピンおよび／またはアイ（ｅｙｅ）６などの締結手段を設けることもできる。その代りにまたは追加的に、支持要素３は、例えばミラー面を支持要素３の上面５にコーティングするなどして、ミラー面を直接支持することもできる。
【００５２】
図４に示すように、そして、図２により良好に示すように、第１の凹部１５は、多少細長い孔またはスロット孔１５として形成することができる。また、第１のアンカー部１４は、好ましくはスロット孔１５内で回転可能な円筒形の軸１４の形状を有していてもよく、スロット孔１５の長さ方向に沿ってスライド可能である。スロット孔１５の長さは、好ましくは、仮想中心Ｍを中心とする実質的に円弧の一部を形成する方向に実質的に配向することができ、円弧の該部分は、両方の仮想軸Ａ、Ｂが実質的に位置する平面に実質的に配置されるのが最も好ましい。追加的またはその代わりに、第１のアンカー部１４および／または第２の仮想軸Ｂは、両方の仮想軸Ａ、Ｂが実質的に配置された平面内に仮想中心Ｍの周りに異なる程度に回転するように設けることができる。これは、例えば、円形の孔として形成することができる凹部１５をベース要素２に対して移動させることによって達成することができる。これは、例えば、ベース要素に対してスライド自在のスライド要素に第１の凹部を設けることで、スライド要素が、例えば仮想中心Ｍの周りの円弧の一部を実質的に形成する方向にスライド可能であるが、円弧の該部分は両方の仮想軸Ａ、Ｂが実質的に位置する平面内に実質的に配置されることが最も好ましい。
【００５３】
非常に有利なことに、図２に適切に示されたように、第２の凹部２５およびそこに配置された第２のアンカー部２４は、第２のアンカー部２４が第１の仮想軸Ａに対して少なくともある程度回転できるように、かつ、ベース要素２に対する第２のアンカー部２４の移動（変位）および／または第１の仮想軸Ａの移動（変位）を防止するように、構成することができる。有利な実施形態では、第２の凹部２５は、例えば、第１の凹部１５とは対照的に、ベース要素２内の固定された、実質的に移動不可能な箇所に設けられた丸孔２５として形成することができる。上記実施形態では、第１の凹部１５は、例えば、多少細長い設計である点で、移動可能であり、および／または遊びを可能にする。
【００５４】
また、本発明は、本発明の一態様に係る移動機構を備えた、車両用の外部ミラー装置に関する。このミラー装置では、ベース要素２を、例えば、ミラー装置のミラーハウジングおよび／またはフレームに設けてもよい。ベース要素は、例えば、その中またはその上に実質的に固定されていてもよい。あるいは、ベース要素２は、例えば、このようなミラーハウジングまたはフレームの一体化された部分を構成してもよい。
【００５５】
さらに、本発明は、本発明の一態様に係る移動機構および／または外部ミラー装置を備えた車両、好ましくは、自動車、トラック、キャンパーまたはバスに関する。
【００５６】
明瞭化および簡潔な説明のために、異なる態様および実施形態の要素および／または特徴は、同じまたは異なる例示的な実施形態の一部として本明細書に記載されているが、本発明の範囲は、記載された要素および／または特徴の全てまたは一部の明示的に記載されていない組み合わせを含む実施形態をも含む。したがって、図示されおよび記載された移動機構の上述した要素および／または特徴の各々は、別々に記載および図示されていると理解され、また、個々におよび／または１以上の他の要素との組み合わせとして適用することができると理解され、本明細書にそのように記載されていると理解される。
【００５７】
さらに、本発明は、ここで説明される例示的な実施形態に限定されない。多くの変形が可能である。
【００５８】
例えば、第２の駆動ロッドは、第１の駆動ロッドについて説明したように実施、配置および／または軸受を取り付けることができる。これらおよび他の変形は、当業者には明らかであり、添付の特許請求の範囲に記載されているように、本発明の範囲内であると理解される。
【符号の説明】
【００５９】
１  移動機構
２  ベース要素
３  支持要素
１０  第１の駆動列
１１  出力歯車
１３  第１の駆動ロッド
１４  第１のアンカー部
Ａ  第１の仮想軸
Ｂ  第２の仮想軸
Ｍ  仮想中心
【図１】
2017530047.tif 000003
【図２】
2017530047.tif 000004
【図３】
2017530047.tif 000005
【図４】
2017530047.tif 000006
【国際調査報告】
2017530047.tif 000007
2017530047.tif 000008